(57)【要約】      （修正有）【課題】専用のパソコンなどの専用端末や、カメラ、マイクなどの専用の設備を必要としない、携帯電話による双方向通信システムを提供する。【解決手段】Ｎ個の携帯電話から送信された画像を処理する画像処理装置と、当該画像処理装置または前記サーバー用画像処理部により処理され、前記Ｎ個の携帯電話により撮像された携帯電話の所有者の画像を表示し、前記Ｎ個の携帯電話が前記基地局に接続されていない場合に、前記配信者の高機能型携帯電話に接続された表示装置に非接続状態であることを表示して、当該非接続状態の携帯電話を除く前記携帯電話の所有者の顔とが同一画面上で表示されるディスプレイと、前記Ｎ個の携帯電話から送信された音声を発生させるスピーカーと、前記Ｎ個の携帯電話および前記配信者側サーバーと通信を行なう通信部と、前記配信者を撮像する撮像装置と、前記配信者から発生された音声を集音する集音装置とを備えることを特徴とする。【選択図】図１
0003155376.tif 000002
【実用新案登録請求の範囲】
【請求項１】
インターネットに接続され、配信コンテンツが格納された管理者側サーバーと、
当該管理者側サーバーに有線または無線により直接またはＬＡＮを介して接続される配信者の高機能型携帯電話と、
前記配信者の高機能型携帯電話および前記インターネットに基地局を介して接続可能なＮ個の携帯電話とからなる
配信者の高機能型携帯電話を介して配信者と当該Ｎ個の携帯電話の所有者との間での前記配信者および所有者の画像の表示により１対Ｎの双方向通信をするための通信システムであって、
前記Ｎが１以上の整数であり、
前記管理者側サーバーが、配信コンテンツのデータベースが格納された記憶装置と、前記Ｎ個の携帯電話および配信者の高機能型携帯電話と通信し、Ｎ個の携帯電話の所有者および配信者の高機能型携帯電話からの配信者の画像を受信するサーバー用受信部と、前記Ｎ個の携帯電話の所有者および配信者の高機能型携帯電話から送信される配信者の画像データを予め定められた大きさと順序で並べて、配信者の高機能型携帯電話の表示装置に表示するサーバー用画像処理部と、受信された画像を前記配信者の高機能型携帯電話からの指令に基づいて、前記配信者の高機能型携帯電話の表示装置に表示された画像データよりの抽出と、前記サーバー用通信部から各携帯電話への送信とを制御し、かつ管理者側サーバーと配信者の高機能型携帯電話のいずれが前記携帯電話にアクセスするかを決定する携帯電話へのアクセス権を切り替えるサーバー用制御部とを備え、
前記配信者の高機能型携帯電話が、前記アクセス権が配信者の高機能型携帯電話にある場合に、前記Ｎ個の携帯電話から送信された画像を処理する画像処理装置と、当該画像処理装置または前記サーバー用画像処理部により処理され、前記Ｎ個の携帯電話により撮像された携帯電話の所有者の画像を表示し、前記Ｎ個の携帯電話が前記基地局に接続されていない場合に、前記配信者の高機能型携帯電話に接続された表示装置に非接続状態であることを表示して、当該非接続状態の携帯電話を除く前記携帯電話の所有者の顔とが同一画面上で表示されるディスプレイと、前記Ｎ個の携帯電話から送信された音声を発生させるスピーカーと、前記Ｎ個の携帯電話および前記配信者側サーバーと通信を行なう通信部と、前記配信者を撮像する撮像装置と、前記配信者から発生された音声を集音する集音装置とを備え、
前記Ｎ個の携帯電話のそれぞれが、当該携帯電話の所有者を撮像する撮像素子と、当該Ｎ個のそれぞれの所有者から発生した音声を集音する集音素子と、前記配信者の顔と、前記Ｎ個の携帯電話の所有者の内の１人の顔とをリアルタイムで表示し、かつ会議用メニュー部を表示する画像表示部と、前記配信者および／またはＮ個の携帯電話の所有者から発生された音声を発生させるスピーカーと、前記配信者の高機能型携帯電話および管理者側サーバーと通信を行なう通信部と、２００〜５００メガバイトの記憶容量を要するドキュメントを格納できる外部メモリとを備えてなることを特徴とする双方向通信システム。
【請求項２】
前記アクセス権が、配信者の高機能型携帯電話に優先して設定されてなることを特徴とする請求項１記載の双方向通信システム。
【請求項３】
前記Ｎ個の携帯電話が高機能型携帯電話であることを特徴とする請求項１または２記載の双方向通信システム。
【請求項４】
インターネットに接続され、配信コンテンツが格納された管理者側サーバーと、
当該管理者側サーバーに有線または無線により直接またはＬＡＮを介して接続される配信者のコンピューターと、
前記配信者のコンピューターおよび前記インターネットに基地局を介して接続可能なＮ個の携帯電話とからなる
配信者のコンピューターを介して配信者と当該Ｎ個の携帯電話の所有者との間での前記配信者および所有者の画像の表示により１対Ｎの双方向通信をするための通信システムであって、
前記Ｎが１以上の整数であり、
前記管理者側サーバーが、配信コンテンツのデータベースが格納された記憶装置と、前記Ｎ個の携帯電話および配信者のコンピューターと通信し、Ｎ個の携帯電話の所有者および配信者のコンピューターからの配信者の画像を受信するサーバー用受信部と、前記Ｎ個の携帯電話の所有者および配信者のコンピューターから送信される配信者の画像データを予め定められた大きさと順序で並べて、配信者のコンピューターの表示装置に表示するサーバー用画像処理部と、受信された画像を前記配信者のコンピューターからの指令に基づいて、前記配信者のコンピューターの表示装置に表示された画像データより抽出と、前記サーバー用通信部から各携帯電話への送信とを制御し、かつ管理者側サーバーと配信者のコンピューターのいずれが前記携帯電話にアクセスするかを決定する携帯電話へのアクセス権を切り替えるサーバー用制御部と、前記管理者側サーバーに有線または無線を介して接続された前記配信者を撮像する撮像装置と、前記配信者から発生した音声を集音する集音装置とを備え、
前記配信者のコンピューターが、前記アクセス権が配信者のコンピューターにある場合に、前記Ｎ個の携帯電話から送信された画像を処理する画像処理装置と、当該画像処理装置または前記サーバー用画像処理部により処理され、前記Ｎ個の携帯電話により撮像された携帯電話の所有者の画像を表示し、前記Ｎ個の携帯電話が前記基地局に接続されていない場合に、前記配信者の携帯電話に接続された表示装置に非接続状態であることを表示して、当該非接続状態の携帯電話を除く前記携帯電話の所有者の顔とが同一画面上で表示されるディスプレイと、前記Ｎ個の携帯電話から送信された音声を発生させるスピーカーと、前記Ｎ個の携帯電話および前記配信者側サーバーと通信を行なう通信部とを備え、
前記Ｎ個の携帯電話のそれぞれが、当該携帯電話の所有者を撮像する撮像素子と、当該Ｎ個のそれぞれの所有者から発生した音声を集音する集音素子と、前記配信者の顔と、前記Ｎ個の携帯電話の所有者の内の１人の顔とをリアルタイムで表示し、かつ会議用メニュー部を表示する画像表示部と、前記配信者および／またはＮ個の携帯電話の所有者から発生された音声を発生させるスピーカーと、前記配信者のコンピューターおよび管理者側サーバーと通信を行なう通信部と、２００〜５００メガバイトの記憶容量を要するドキュメントを格納できる外部メモリとを備えてなることを特徴とする双方向通信システム。
【請求項５】
前記アクセス権が、配信者のコンピューターに優先して設定されてなることを特徴とする請求項４記載の双方向通信システム。
【請求項６】
前記Ｎ個の携帯電話が高機能型携帯電話であることを特徴とする請求項４または５記載の双方向通信システム。
【考案の詳細な説明】
【技術分野】
【０００１】
本考案は、ネットワークを利用した双方向通信システムであって、複数の会議の参加者や講義の受講者がリアルタイムで会議や教育などのコミュニケーションが可能な双方向通信システムに関する。
【背景技術】
【０００２】
従来のインターネットを利用した教育システムとして、インターネット上に仮想的な学校を構築し、学校に入校した各生徒が、自宅に居ながらにして講義を受講可能な教育システムが開示されている。例えば、各生徒用端末がインターネットを介して学校運営側システムのサーバーにログインし、サーバーから教材コンテンツの提供を受けることで、各生徒が学習可能な教育システムが開示されている（特許文献１および２参照）。
【０００３】
しかしながら、従来のインターネットを利用した教育システムは、各生徒がそれぞれパソコンや教育システムに必要な専用のカメラやマイクなどを用意しなければならず、設備コストが高いという問題があった。また、従来の教育システムでは、生徒は講義が始まる時間に在宅していなければならず、生徒が家にいない場合は、インターネットを利用した教育システムのメリットを充分に活かせるものではなかった。また、教育システムの講義を行なう講師は、授業を撮影するカメラやマイク等の設備が設けられた教室にいなければ授業を行なうことができず、リアルタイムで授業を行なうことに限界があった。
【０００４】
また、上記システムを教育以外のたとえば会議システムに用いる場合も、会議の参加者がカメラやマイク、パソコン等の設備が整った会議室に移動し、当該会議室内にいる場合でなければ、会議を行なうことができず、外出中には会議に参加できないという問題があった。
【０００５】
一方、携帯電話が普及し、携帯電話は国民一人につきほぼ１台所有しており、通信速度が飛躍的に向上し、携帯電話で動画の視聴も可能である。さらに携帯電話の料金面でも、パケット定額制などにより、一層携帯電話によるインターネットの利用が加速している。そのような側面から携帯電話による会議や教育などを行なう双方向通信システムが望まれている。
【先行技術文献】
【特許文献】
【０００６】
【特許文献１】特開２０００−１７２１６１号公報
【特許文献２】特開２００１−３０５９４０号公報
【考案の概要】
【考案が解決しようとする課題】
【０００７】
そこで、従来のかかる事情に鑑み、会議における会議参加者、教育における生徒および／または教師が、会議室、家や教室にいなくても会議を行なうことができ、または授業の配信および授業を受けることができ、かつ専用のパソコンなどの専用端末や、カメラ、マイクなどの専用の設備を必要としない、携帯電話による双方向通信システムの提供を目的とする。
【課題を解決するための手段】
【０００８】
本考案の双方向通信システムは、インターネットに接続され、配信コンテンツが格納された管理者側サーバーと、
当該管理者側サーバーに有線または無線により直接またはＬＡＮを介して接続される配信者の高機能型携帯電話と、
前記配信者の高機能型携帯電話および前記インターネットに基地局を介して接続可能なＮ個の携帯電話とからなる
配信者の高機能型携帯電話を介して配信者と当該Ｎ個の携帯電話の所有者との間での前記配信者および所有者の画像の表示により１対Ｎの双方向通信をするための通信システムであって、
前記Ｎが１以上の整数であり、
前記管理者側サーバーが、配信コンテンツのデータベースが格納された記憶装置と、前記Ｎ個の携帯電話および配信者の高機能型携帯電話と通信し、Ｎ個の携帯電話の所有者および配信者の高機能型携帯電話からの配信者の画像を受信するサーバー用受信部と、前記Ｎ個の携帯電話の所有者および配信者の高機能型携帯電話から送信される配信者の画像データを予め定められた大きさと順序で並べて、配信者の高機能型携帯電話の表示装置に表示するサーバー用画像処理部と、受信された画像を前記配信者の高機能型携帯電話からの指令に基づいて、前記配信者の高機能型携帯電話の表示装置に表示された画像データよりの抽出と、前記サーバー用通信部から各携帯電話への送信とを制御し、かつ管理者側サーバーと配信者の高機能型携帯電話のいずれが前記携帯電話にアクセスするかを決定する携帯電話へのアクセス権を切り替えるサーバー用制御部とを備え、
前記配信者の高機能型携帯電話が、前記アクセス権が配信者の高機能型携帯電話にある場合に、前記Ｎ個の携帯電話から送信された画像を処理する画像処理装置と、当該画像処理装置または前記サーバー用画像処理部により処理され、前記Ｎ個の携帯電話により撮像された携帯電話の所有者の画像を表示し、前記Ｎ個の携帯電話が前記基地局に接続されていない場合に、前記配信者の高機能型携帯電話に接続された表示装置に非接続状態であることを表示して、当該非接続状態の携帯電話を除く前記携帯電話の所有者の顔とが同一画面上で表示されるディスプレイと、前記Ｎ個の携帯電話から送信された音声を発生させるスピーカーと、前記Ｎ個の携帯電話および前記配信者側サーバーと通信を行なう通信部と、前記配信者を撮像する撮像装置と、前記配信者から発生された音声を集音する集音装置とを備え、
前記Ｎ個の携帯電話のそれぞれが、当該携帯電話の所有者を撮像する撮像素子と、当該Ｎ個のそれぞれの所有者から発生した音声を集音する集音素子と、前記配信者の顔と、前記Ｎ個の携帯電話の所有者の内の１人の顔とをリアルタイムで表示し、かつ会議用メニュー部を表示する画像表示部と、前記配信者および／またはＮ個の携帯電話の所有者から発生された音声を発生させるスピーカーと、前記配信者の高機能型携帯電話および管理者側サーバーと通信を行なう通信部と、２００〜５００メガバイトの記憶容量を要するドキュメントを格納できる外部メモリとを備えてなることを特徴とする。
【０００９】
なお、本考案でいう、配信者の高機能型携帯電話は、高機能のハードウェアやソフトウェアが備えられた、たとえばアップル社製のiPhoneやＥＭＯＢＩＬＥ社製のスマートフォンなどＰＣ機能を搭載した携帯電話を含む概念である。
【００１０】
また、前記アクセス権が、配信者の高機能型携帯電話に優先して設定されてなることが好ましい。
【００１１】
また、前記Ｎ個の携帯電話が高機能型携帯電話であることが好ましい。
【００１２】
また、本考案の双方向通信システムは、インターネットに接続され、配信コンテンツが格納された管理者側サーバーと、
当該管理者側サーバーに有線または無線により直接またはＬＡＮを介して接続される配信者のコンピューターと、
前記配信者のコンピューターおよび前記インターネットに基地局を介して接続可能なＮ個の携帯電話とからなる
配信者のコンピューターを介して配信者と当該Ｎ個の携帯電話の所有者との間での前記配信者および所有者の画像の表示により１対Ｎの双方向通信をするための通信システムであって、
前記Ｎが１以上の整数であり、
前記管理者側サーバーが、配信コンテンツのデータベースが格納された記憶装置と、前記Ｎ個の携帯電話および配信者のコンピューターと通信し、Ｎ個の携帯電話の所有者および配信者のコンピューターからの配信者の画像を受信するサーバー用受信部と、前記Ｎ個の携帯電話の所有者および配信者のコンピューターから送信される配信者の画像データを予め定められた大きさと順序で並べて、配信者のコンピューターの表示装置に表示するサーバー用画像処理部と、受信された画像を前記配信者のコンピューターからの指令に基づいて、前記配信者のコンピューターの表示装置に表示された画像データより抽出と、前記サーバー用通信部から各携帯電話への送信とを制御し、かつ管理者側サーバーと配信者のコンピューターのいずれが前記携帯電話にアクセスするかを決定する携帯電話へのアクセス権を切り替えるサーバー用制御部と、前記管理者側サーバーに有線または無線を介して接続された前記配信者を撮像する撮像装置と、前記配信者から発生した音声を集音する集音装置とを備え、
前記配信者のコンピューターが、前記アクセス権が配信者のコンピューターにある場合に、前記Ｎ個の携帯電話から送信された画像を処理する画像処理装置と、当該画像処理装置または前記サーバー用画像処理部により処理され、前記Ｎ個の携帯電話により撮像された携帯電話の所有者の画像を表示し、前記Ｎ個の携帯電話が前記基地局に接続されていない場合に、前記配信者の携帯電話に接続された表示装置に非接続状態であることを表示して、当該非接続状態の携帯電話を除く前記携帯電話の所有者の顔とが同一画面上で表示されるディスプレイと、前記Ｎ個の携帯電話から送信された音声を発生させるスピーカーと、前記Ｎ個の携帯電話および前記配信者側サーバーと通信を行なう通信部とを備え、
前記Ｎ個の携帯電話のそれぞれが、当該携帯電話の所有者を撮像する撮像素子と、当該Ｎ個のそれぞれの所有者から発生した音声を集音する集音素子と、前記配信者の顔と、前記Ｎ個の携帯電話の所有者の内の１人の顔とをリアルタイムで表示し、かつ会議用メニュー部を表示する画像表示部と、前記配信者および／またはＮ個の携帯電話の所有者から発生された音声を発生させるスピーカーと、前記配信者のコンピューターおよび管理者側サーバーと通信を行なう通信部と、２００〜５００メガバイトの記憶容量を要するドキュメントを格納できる外部メモリとを備えてなることを特徴とする。
【００１３】
また、前記アクセス権が、配信者のコンピューターに優先して設定されてなることが好ましい。
【００１４】
また、前記Ｎ個の携帯電話が高機能型携帯電話であることが好ましい。
【考案の効果】
【００１５】
本考案によれば、会議や授業を配信する配信者の画面に、会議や授業の参加者である携帯電話の所有者の画像が予め定められた大きさと順序で表示されるので、会議、授業の配信者が会議、授業の参加者を容易に把握することができる。また、会議や授業の参加者は、所有する携帯電話により会議や授業に参加することができ、会議室、家や教室にいなくても会議、授業の配信を受けることができる。またそれぞれの携帯電話にカメラ、マイク等が予め備えられている場合は、専用のパソコンなどの専用端末や、カメラ、マイクなどの専用の設備を用意することなく、双方向通信による会議、授業を行なうことができる。
【図面の簡単な説明】
【００１６】
【図１】本考案の双方向通信システムを示す図である。
【図２】本考案の双方向通信システムに用いられるサーバーの詳細を示すブロック図である。
【図３】本考案の双方向通信システムに用いられる配信者の携帯電話の詳細を示すブロック図である。
【図４】本考案の双方向通信システムに用いられる会議の出席者の携帯電話を示す図である。
【図５】本考案の双方向通信システムに用いられる配信者の携帯電話の表示を示す一例である。
【考案を実施するための形態】
【００１７】
以下、本考案の実施形態を図面を用いて説明する。図１は本考案の双方向通信システムを示している。双方向通信システム１００は、複数の会議出席者の携帯電話１０−ｃ（ｃ＝１〜ｎ、ｎ：会議の出席者数）を有している。なお、会議出席者の携帯電話のいずれにもあてはまる事項について以下では、携帯電話１０−ｃと表記する。
【００１８】
会議運営側システム１０４は、配信者用携帯電話１２と、会議の出欠等を管理する管理者用端末と、配信者用携帯電話１２および管理者用端末と無線または有線ＬＡＮ（Local Area Network）を介して通信を行うサーバーコンピュータ１６を有している。
【００１９】
サーバーコンピュータ１６は、図２に示すように会議の、議題とされるテーマやそのテーマに関係する資料などの配信コンテンツが格納された記憶装置１８、前記Ｎ個の携帯電話および配信者の高機能型携帯電話と通信し、Ｎ個の携帯電話の所有者および配信者の携帯電話からの配信者の画像を受信するサーバー用受信部２０と、前記Ｎ個の携帯電話の所有者のＮ個の画像および配信者の高機能型携帯電話から送信される配信者の画像データが予め定められた大きさと順序で表示される画像表示欄に並べ、配信者の高機能型携帯電話の表示装置に表示するサーバー用画像処理部２２と、受信された画像を前記配信者の高機能型携帯電話からの指令に基づいて、前記配信者の高機能型携帯電話の表示装置に表示された画像データよりの抽出と、前記サーバー用通信部から各携帯電話への送信とを制御し、前記サーバー用受信部が前記Ｎ個の携帯電話のうちのいずれかからの画像データの受信をしない場合、当該画像データの受信がされない携帯電話の所有者の欄に欠席または遅刻の表示をする制御を行ない、かつ管理者側サーバーと配信者の携帯電話のいずれが前記携帯電話にアクセスするかを決定する携帯電話へのアクセス権を切り替えるサーバー用制御部２４を有している。
【００２０】
配信者の携帯電話１２は、会議出席予定者の名前の５０音順、名前の読み方のアルファベット順、あるいは会議出席者に付与された識別番号順に並べ、欠席者の存在不存在にかかわらず、前述の如く並べられた順序を維持し、表示部に表示できるようなマネージャ機能およびコントローラ機能を有し、会議の出欠確認および欠席者のあった場合には、排除することなく、かつ注記してソーティングを行なう（図５参照）。したがって、配信者の高機能型携帯電話１２は、他のＮ個の携帯電話とは異なり、高機能のハードウェアやソフトウェアが備えられた、たとえばアップル社製のiPhoneやＥＭＯＢＩＬＥ社製のスマートフォンなどＰＣ機能を搭載した携帯電話を含む概念である。本実施の形態では配信者の携帯電話１２は、このように高機能型の携帯電話を想定しているが、これをノート型パソコンやデスクトップ型パソコンに置き換えることはいうまでもなく可能である。
【００２１】
図３に示すように、前記アクセス権が配信者の携帯電話にある場合に、前記Ｎ個の携帯電話から送信された画像を処理する画像処理装置１２ａと、当該画像処理装置１２ａまたは前記サーバー用画像処理部２２により処理され、前記Ｎ個の携帯電話１０−ｃにより撮像された携帯電話の所有者の画像および配信者の画像の画像表示欄を表示するディスプレイ１２ｂと、前記Ｎ個の携帯電話から送信された音声を発生させるスピーカー１２ｃと、前記Ｎ個の携帯電話および前記配信者側サーバー１６と通信を行なう通信部１２ｄと、前記配信者を撮像する撮像装置１２ｅと、前記配信者から発生された音声を集音する集音装置１２ｆとを備えている。
【００２２】
図４は、携帯電話１０−ｃの詳細を示している。携帯電話１０−ｃは、当該携帯電話の所有者を撮像する撮像素子３１−ｃと、当該Ｎ個のそれぞれの所有者から発生した音声を集音する集音素子３２−ｃと、前記配信者の顔と、前記Ｎ個の携帯電話の所有者の内の１人の顔とをリアルタイムで表示し、かつ会議用メニュー部を表示する画像表示部３３−ｃと、前記配信者および／またはＮ個の携帯電話の所有者から発生された音声を発生させるスピーカー３４−ｃと、前記配信者のコンピューターおよび管理者側サーバーと通信を行なう通信部（図示せず）と、外部メモリを増設するための拡張スロット３５−ｃとを有している。拡張スロット３５−ｃには、２００〜５００メガバイトの記憶容量ｓを要するドキュメントを記憶できる外部メモリが備えられ、配信者側のパソコンを介して教材や会議の検討用資料を参加者に副教材や次回の検討用の資料などの予め用意しておかねばならないドキュメント（たとえば２〜５００メガバイトオーダーの記憶容量を要するドキュメント）を送っておき、Ｎ個の携帯電話の外部メモリに格納するようにすることができる。また、当該ドキュメントを送っている旨のメール等を送り、それを別途スマートフォンやノートＰＣ等によって開いて検討するようにし、本格的な会議や講義をすることができるようにすることができる。なお、前記Ｎ個の携帯電話を高機能型携帯電話とすることもできる。
【００２３】
上記構成により、会議や授業を配信する配信者の画面に、会議や授業の参加者である携帯電話の所有者の画像が予め定められた大きさと順序で表示されるので、会議、授業の配信者が会議、授業の参加者を容易に把握することができる。また、会議や授業の参加者は、所有する携帯電話により会議や授業に参加することができ、会議室、家や教室にいなくても会議、授業の配信を受けることができる。またそれぞれの携帯電話にカメラ、マイク等が予め備えられている場合は、専用のパソコンなどの専用端末や、カメラ、マイクなどの専用の設備を用意することなく、双方向通信による会議、授業を行なうことができる。
【符号の説明】
【００２４】
１０−ｃ  出席者の携帯電話
１２  配信者用携帯電話
１６  サーバー
１８  記憶装置
２０  サーバー用受信部
２２  サーバー用画像処理部
２４  サーバー用制御部
【図１】
0003155376.tif 000003
【図２】
0003155376.tif 000004
【図３】
0003155376.tif 000005
【図４】
0003155376.tif 000006
【図５】
0003155376.tif 000007